(57)【要約】      （修正有）【課題】  操作性が良く、迅速な操作のできる電子撮像装置を提供する。【解決手段】  被写体像を撮像する撮像手段と、撮影レンズを覆って保護する保護カバーと、保護カバーの位置を検出する検出手段と、映像情報を記録媒体に記録する記録手段と、記録媒体に記録された映像情報を再生する再生手段と、保護カバーの位置によらず再生の設定が可能なスイッチ手段とを有し、保護カバーが撮影レンズを覆っていない場合には映像情報を記録媒体に記録可能な記録モードに設定し、保護カバーが撮影レンズを覆っているときには媒体に記録されている映像情報を再生可能な再生モードに設定する手段とを有する電子撮像装置であって、記録／再生モード切り替え指令スイッチの操作に基づき、保護カバーの開状態であっても再生モード切り替え設定可能な第１の再生モードと保護カバーの閉状態であっても再生モードに設定される第２の再生モードとを切り替え可能な電子撮像装置。【選択図】  図２
2005312076.tif 000002
【特許請求の範囲】
【請求項１】
撮影レンズによって結像された被写体像を映像情報に変換する撮像手段と、上記撮影レンズを覆って保護する保護カバーと、上記保護カバーの位置を検出する検出手段と、上記映像情報を記録媒体に記録する記録手段と、上記記録媒体に記録された映像情報を再生する再生手段と
上記保護カバーの位置によらず、上記再生の設定が可能なスイッチ手段とを有し、
上記保護カバーが撮影レンズを覆っていない場合には上記映像情報を記録媒体に記録可能な記録モードに設定し、上記保護カバーが撮影レンズを覆っているときには上記媒体に記録されている映像情報を再生可能な再生モードに設定する手段とを有する電子撮像装置であって、
記録／再生モード切り替え指令スイッチの操作に基づき、上記保護カバーの開状態であっても再生モード切り替え設定可能な第１の再生モードと上記保護カバーの閉状態であっても再生モードに設定される第２の再生モードとを切り替え可能な電子撮像装置。
【発明の詳細な説明】
【技術分野】
【０００１】
本発明は、光学レンズを通った光学像を電気信号に変換し、各種記録媒体へ記録し、また、該記録媒体から映像信号を再生することが可能な電子撮像装置に関する。
【背景技術】
【０００２】
近年、従来の銀塩フィルムを使用したカメラとは原理的に全く異なる電子カメラ（電子撮像装置）が開発された。このカメラはＣＣＤ(charge coupled device) 等のような２次元固体撮像素子を使用し、この撮像素子で被写体の映像を得て、これを電気信号化し、この電気信号を記録媒体に記憶する。記録媒体としては、メモリカードや磁気ディスク、磁気テープ等が用いられる。
【０００３】
そして、後にこの記録媒体に記録された映像信号を読出して再生し、テレビモニタ等に再生画像を表示したり、ビデオプリンタにてハードコピーとして記録し、鑑賞する。
【０００４】
電子撮像装置の従来例として、記録媒体にフロッピディスク等の磁気ディスクを用いた電子スチルカメラのブロック図を図７に示す。
【０００５】
図に示すように、電子スチルカメラは、光学像を画像信号に変換する撮像系６１、被写体像を撮像系６１に結像する光学系６０、外部からの画像信号を入力するための外部入力端子３８、この外部入力端子３８からの画像信号と撮像系６１からの画像信号のうち、一方を選択して出力するための入力切換回路３７、この入力切換回路３７を介して与えられる画像信号を周波数変調するＦＭ変調回路３９、このＦＭ変調回路３９の変調出力とＤＰＳＫ変調回路４８の変調出力を混合する混合器４０、この混合器４０の出力を磁気ディスク４４に記録するために必要な信号レベルの記録信号に変換する記録回路４１、磁気ディスク４４に対して記録／読出しを行う記録／再生ヘッド４３、記録回路４１の出力を磁気ヘッド４３に与え、記録／再生ヘッド４３の読出し出力を再生回路５０に与える記録／再生切換スイッチ４２、再生回路５０より再生されて出力された磁気ディスク４４からの再生信号をＦＭ復調するＦＭ復調回路５１、再生回路５０より再生されて出力された磁気ディスク４４からの再生信号をＤＰＳＫ復調するＤＰＳＫ復調回路５３、ＦＭ復調回路５１の出力をプロセス処理して、輝度信号（Ｙ）とクロマ信号（Ｃ）よりなるビデオ信号化する再生プロセス回路５２、文字情報を発生するキャラクタジェネレータ５４、再生プロセス回路５２の出力と、このキャラクタジェネレータ５４の出力とを合成するスーパーインポーズ回路５５、スーパーインポーズ回路５５からの出力を表示する電子ビュー・ファインダ（ＥＶＦ）５６、スーパインポーズ回路５５からの出力を外部に取り出すための外部出力端子５７、ヘッド４３をシークするヘッドアクセス機構４５、記録媒体である磁気ディスク４４を回転駆動するモータ４６、このモータ４６を駆動制御するスピンドルモータ駆動回路４７、各種モード表示や状態表示等を行うための表示部５８、カメラの各種操作のためのスイッチ類などで構成される操作部５９、これら各構成要素の制御を司るシステムコントローラ４９などからなる。
【０００６】
ＤＰＳＫ変調回路４８はシステムコントローラ４９から出力される日付けや時計情報等をＤＰＳＫ変調（differrential phase shift keying; 差動位相偏移変調）する回路である。また、表示部５８は液晶ディスプレイなどを使用した低消費電力型のフラットパネルディスプレイであり、キャラクタ、シンボル表示が行えるようになっている。
【０００７】
このような構成のカメラにおいて、記録時（撮影時）には、光学系６０を通った光学像が、ＣＣＤ等よりなる撮像系６１に結像され、光学像はこの撮像系６１において電気信号に変換される。この撮像系６１からの出力信号（映像信号）は該撮像系６１からの信号と外部入力端子３８からの信号を切り換える入力切換回路３７を介して、ＦＭ変調回路３９に与えられ、ここでＦＭ変調される。
【０００８】
一方、日付けなどの情報からなるデータのコード信号がシステムコントローラ４９から出力され、このデータの信号はＤＰＳＫ変調回路４８によってＤＰＳＫ変調され、混合器４０によってＦＭ変調された映像信号と混合される。
【０００９】
その後、この混合された信号は記録回路４１により、記録媒体である磁気ディスク４４に記録するために必要な処理を行い、システムコントローラ４９によって記録（Ｒ）側に設定された録再切換スイッチ４２を介して、記録／再生ヘッド４３へ供給され、記録媒体４４に記録される。
【００１０】
記録／再生ヘッド４３は、システムコントローラ４９がヘッドアクセス機構４５をコントロールすることによって、位置制御されている。また、磁気ディスク４４は、スピンドルモータ駆動回路４７によって駆動制御されるモータ４６により、定速回転されており、スピンドルモータ駆動回路４７はシステムコントローラ４９によって制御されている。
【００１１】
再生時には、磁気ディスク４４から記録／再生ヘッド４３により信号を再生する。そして、今度はシステムコントローラ４９によって再生（Ｐ）側に設定された録再切換スイッチ４２を通って再生信号は再生回路５０へと供給される。再生回路５０を経た信号は、ＦＭ復調回路５１とＤＰＳＫ復調回路５３へそれぞれ供給され、ＦＭ復調回路５１では映像信号が復調され、ＤＰＳＫ復調回路５３ではデータ信号が復調される。映像信号はその後、再生プロセス回路５２に与えられることにより、輝度信号（Ｙ）とクロマ信号（Ｃ；クロミナンス信号）のビデオ信号となり、スーパーインポーズ回路５５へ供給される。
【００１２】
一方、ＤＰＳＫ復調回路５３で復調されたデータ信号は、システムコントローラ４９を経て、キャラクタジェネレータ５４によりデータ信号の内容に相当するキャラクタ信号化され、スーパーインポーズ回路５５へ出力される。
【００１３】
スーパーインポーズ回路５５はこのキャラクタ信号をビデオ信号に付加し、このキャラクタ信号が付加されたビデオ信号は、ＥＶＦ５６と外部出力端子５７へ供給される。従って、ＥＶＦ５６により再生映像とデータの内容が表示され、また、外部出力端子５７にモニタ装置を接続すれば、このモニタ装置にも再生映像とデータの内容が表示されることになる。
【００１４】
再生モードと記録モードの切り換えは操作部５９におけるモード切換スイッチにより設定し、撮影の操作、再生したい画像のコマ指定と再生、消去等と云った操作も操作部５９により行うことができる。
【００１５】
尚、モード表示や、その他、各種表示はシステムコントローラ４９の制御により、表示部５８にて行われる。
【００１６】
この従来例からわかるように、電子撮像装置においては、記録モードと再生モードという２つの動作モードがあり、このモードによって操作方法も電気的特性（消費電流等）も全く違ってくる。
【００１７】
そして、従来は上記２つのモードを切り換えるのに、電子スチルカメラ等においては、スライドスイッチ等によるモード切換スイッチを使用しており、該スイッチの状態によって、記録モードと再生モードの切り換えを行っている。
【００１８】
カメラには不使用時にレンズや測光系、さらにはビューファインダなどの前面を覆って保護するためのレンズカバーや前面保護シャッタなどを設けるケースが多く、従って、これらにより、レンズやビューファインダなどが覆われていれば、撮影のための記録モードとして使用することはあり得ないが、従来方式では特許文献１や特許文献２などに開示されているように、レンズの前面を保護するシャッタ（またはキャップ）の開閉動作によって電源スイッチを制御することをしなければならず、使い勝手が悪かった。
【特許文献１】実開平１−７０４７５号公報
【特許文献２】特開昭６３−１２８３２９号公報
【発明の開示】
【発明が解決しようとする課題】
【００１９】
このように、従来装置にあっては、記録／再生のモードの切り換えはスライドスイッチ等により設定するようになっており、カメラのレンズ面の状態（例えば、キャップやカバー等が閉まっている状態）とは無関係となっているので、ユーザはカメラ使用時に、現在、カメラが記録／再生のモードのうちのどちらのモードになっているのか、スイッチの状態や各種表示装置によって、いちいち確かめなければならない。
【００２０】
また、電子スチルカメラ等においては、ストロボを内蔵したものが多く、記録モード時には撮影のためのストロボを使用することがあることから、ストロボチャージの動作もあり、また、撮像系統のプロセス回路や、オートフォーカス機構等の動作など、再生系では使用しない、しかも、消費電力の多い機能要素が稼働することになって、再生モード時に比べて著しく電力消費が増加する傾向にある。そのため、記録モードでの使用時間が長いと、電池の消耗が激しくなる。
【００２１】
また電子撮像装置の従来の銀塩カメラと異なる長所は、被写体を撮影後、直ちに撮影済みの映像情報を電子ビュウーファインダ等に再生して撮影された画像を視認し、構図や撮影時の露出状態を確認することが容易にできることにあるが、保護カバーが撮影レンズをカバーしていることの有無により記録撮影可能な状態と、再生可能な状態を判別する方法をとるカメラに於いては、撮影後即座に確認するためには、撮影レンズを遮蔽するように保護カバーで撮影レンズを覆い、その状態を自動的に検出することにより再生モードに切り替わるようにしなければならず、その操作はきわめて煩雑であった。さらに再生確認動作中に、撮影したい被写体が出現したときには保護カバーを直ちに取り除かなくてはならず、せっかくのシャッターチャンスを逃す可能性も有った。
【００２２】
そこでこの発明の目的とするところは、保護カバーつきの電子撮像装置に於いて、保護カバーによる撮影レンズの遮蔽がなされていない状態にも関わらず、撮影直後に素早く撮影済みの映像情報を確認できるようにし、再生のみを目的とする場合には、再生動作中に誤って撮影レンズをさわったり損傷を与えることがないようにする電子撮像装置を提供することにある。
【課題を解決するための手段】
【００２３】
上記課題を解決するための、本発明に係る請求項１に記載の電子撮像装置は、撮影レンズによって結像された被写体像を映像情報に変換する撮像手段と、上記撮影レンズを覆って保護する保護カバーと、上記保護カバーの位置を検出する検出手段と、上記映像情報を記録媒体に記録する記録手段と、上記記録媒体に記録された映像情報を再生する再生手段と、上記保護カバーの位置によらず、上記再生の設定が可能なスイッチ手段とを有し、上記保護カバーが撮影レンズを覆っていない場合には上記映像情報を記録媒体に記録可能な記録モードに設定し、上記保護カバーが撮影レンズを覆っているときには上記媒体に記録されている映像情報を再生可能な再生モードに設定する手段とを有する電子撮像装置であって、記録／再生モード切り替え指令スイッチの操作に基づき、上記保護カバーの開状態であっても再生モード切り替え設定可能な第１の再生モードと上記保護カバーの閉状態であっても再生モードに設定される第２の再生モードとを切り替え可能な電子撮像装置である。
【発明の効果】
【００２４】
本発明によれば、保護カバーによる撮影レンズの遮蔽がなされていない状態にも関わらず、撮影直後に素早く撮影済みの映像情報を確認できるようにし、再生のみを目的とする場合には、再生動作中に誤って撮影レンズをさわったり損傷を与えることがないようにする電子撮像装置を提供することができる。
【発明を実施するための最良の形態】
【００２５】
以下、本発明の実施例について、図面を参照しながら、電子スチルカメラの場合を例に説明する。
【００２６】
［第１の実施例］
図１は本発明による電子スチルカメラ装置の概略図であり、図２はそのブロック構成図である。図１において、１はカメラの撮影レンズ、２はカメラの前面に設けたオートフォーカス（ＡＦ）及び測光センサ、３はカメラの上面に設けたシャッタ釦、４は外部からの操作を検出するスイッチ手段である記録／再生のモード切換指令スイッチ（モード強制スイッチ）、５はカメラの側面に設けたフロッピディスクの挿入口である。
【００２７】
また、６はフロッピディスク取り出し操作用のイジェクト釦、７はカメラ上面に設けたＬＣＤ（液晶）表示装置、８はパワースイッチ、９はカメラ内蔵のストロボ、１０はカメラ前面のレンズ１や測光センサなどを覆う開閉式の保護カバーである。保護カバー１０は例えば、硬質の遮光体で構成されており、スライド操作することにより、撮影時（記録時）にはレンズ１や測光センサなどを露呈させ、その他のときはこれらを覆って保護する。
【００２８】
また、図２に示すブロック図は本発明によるカメラの回路構成を示すものであって、１０は保護カバー、１１は光学系、１２はＣＣＤ(charge coupled device) 等よりなる撮像回路、１３はＦＭ変調回路、１４は記録回路、１５は記録／再生回路切り換えスイッチ、１６は記録／再生ヘッド，１７はヘッドアクセス機構、１８は記録媒体であって、ここではフロッピディスクのような磁気ディスクを使用した例を示している。
【００２９】
１９はモータ、２０はスピンドルモータ駆動回路、２１はシステムコントローラ、２２は再生回路、２３はＦＭ復調回路、２４は再生プロセス回路、２５はスーパーインポーズ回路、２６はＥＶＦ、２７はキャラクタジェネレータ、２８は表示部、２９は操作部、３０は遮光体検出手段、３１は記録／再生モード手動切り換え設定スイッチである。
【００３０】
撮像回路１２は光学像を画像信号に変換するものであり、光学系１１は被写体像を撮像回路１２に結像するものであり、ＦＭ変調回路１３は撮像回路１２より与えられる画像信号を周波数変調するものであり、記録回路１４はＦＭ変調回路１３からの出力を磁気ディスク１８に記録するために必要な電流レベルの記録信号に変換するためのものである。
【００３１】
記録／再生ヘッド１６は磁気ディスク１８に対して記録／読出しを行うためのものであり、記録／再生回路切り換えスイッチ１５は記録回路１４の出力を磁気ヘッド１６に与え、記録／再生ヘッド１６の読出し出力を再生回路２２に与えるものである。
【００３２】
また、ヘッドアクセス機構１７は記録／再生ヘッド１６の位置をシークするためのものであり、モータ１９は記録媒体である磁気ディスク１８を定速で回転駆動するためのものである。スピンドルモータ駆動回路２０はモータ１９を駆動制御するためのものであり、再生回路２２は記録／再生ヘッド１６により読み出された信号を増幅する等して出力するものである。
【００３３】
ＦＭ復調回路２３は再生回路２２からの出力より映像信号を復調するものであり、再生プロセス回路２４は再生回路２２からの映像信号を輝度信号（Ｙ）とクロマ信号（Ｃ）よりなるビデオ信号にして出力するものであり、キャラクタジェネレータ２７はシステムコントローラ２１からのキャラクタコード出力に対応するキャラクタ信号を発生する回路である。
【００３４】
スーパーインポーズ回路２５はこのキャラクタ信号をビデオ信号に付加して出力するものであり、ＥＶＦ２６はこのキャラクタ信号が付加されたビデオ信号を画像として表示するためのものである。
【００３５】
また、表示部２８は各種モード表示や状態表示等を行うためのもので、液晶ディスプレイなどを使用した低消費電力型のフラットパネルディスプレイを用いて構成されており、キャラクタ、シンボル表示が行えるようになっている。
【００３６】
操作部２９はモード切換え指令スイッチ４や記録／再生モード手動切換えスイッチ３１，その他、トリガスイッチ、カレンダ設定、時計設定など、カメラの各種操作のための各種スイッチ類の操作入力をシステムコントローラ２１に与えるものであり、保護カバー検出機構３０はカメラに設けたカメラ不使用時においてレンズや測光系、さらにはビューファインダなどの前面を覆って保護するためのスライド開閉式の保護カバー１０の位置を検出して信号を出力する機能を有する。
【００３７】
また、モード切換指令スイッチ４は図１において示したカメラに設けたスイッチで、記録／再生のモードを指定する記録／再生モード手動切り換え設定スイッチ３１による設定モードを強制的に実施させるべく、システムコントローラ２１に指令を与えるためのスイッチであり、記録／再生モード手動切り換え設定スイッチ３１の設定と、モード切換指令スイッチ４の操作により、保護カバー１０の位置とは無関係にモード設定することができるスイッチである。
【００３８】
また、システムコントローラ２１は各構成要素の制御の中枢を司るものである。そして、基本的には本発明のカメラでは、保護カバー１０の位置により、記録／再生のモードが定まる構成としてある。従って、電源オンの後にモード切り換えスイッチ４を押さない限りは、記録／再生モード手動切り換え設定スイッチ３１の設定モードは有効とならない構成となっている。
【００３９】
なお、該保護カバー検出機構３０の例を図３に示す。図に示すように、保護カバー１０はカメラの前面をガイド１０ａに案内されて、レンズ配置側と待機側との間をスライドするが、レンズ配置側に保護カバー１０が移動されたとき、この保護カバー１０によって動作する検出手段（スイッチ）をガイド１０ａ部分に設けて構成したものである。保護カバー検出機構３０は、レンズ配置側に保護カバー１０が移動されたとき、動作する構成であれば良いので、このような構造以外にも、種々所望の構成を採用し得る。
【００４０】
このような構成において、保護カバー１０が閉じられると、それに伴い保護カバー１０のガイド１０ａに設置された保護カバー検出機構３０が押されて動作し、電源が入った場合には保護カバー検出機構３０からその接点信号を得ることができるようになる。また、逆に、保護カバー１０を開いた状態において電源が入った場合には、保護カバー検出機構３０の状態から保護カバー１０が開いた状態であることを検出できる。
【００４１】
今、記録／再生モード手動切り換え設定スイッチ３１を記録側にしたまま、パワースイッチ８をオン操作し、カメラの電源を立ち上げたとする。すると、システムコントローラ２１は該保護カバー１０の状態を保護カバー検出機構３０の接点出力によって判断する。
【００４２】
そして、保護カバー検出機構３０の接点出力状況により、レンズ１、測光センサ２及びストロボ９等が外部に露出しているとシステムコントローラ２１が判断すると、システムコントローラ２１はカメラを記録モードとして立ち上げる。
【００４３】
そして、システムコントローラ２１は内部の記録／再生回路切り換えスイッチ１５を記録モード側であるＲ側にセットし、撮影および記録系統の回路の電源を供給開始する。そして、使用者がトリガスイッチ、すなわち、シャッタ釦３を押すとオートフォーカス機能および露出制御機構等が機能して、光学系を制御し、撮像回路１２に被写体像を結像して撮影が成される。
【００４４】
そして、撮像回路１２からは被写体像の画像信号が出力され、ＦＭ変調回路１３に入力されて周波数変調される。そして、記録回路１４により電流信号化され、記録／再生回路切り換えスイッチ１５を介してヘッド１６に与えられることにより、撮影された被写体像の画像信号は、磁気ディスク１８に記録される。
【００４５】
一方、保護カバー１０を閉じたまま、電源を立ち上げると、記録／再生モード手動切換えスイッチ３１が記録側であっても、これとは無関係に、保護カバー検出機構３０の接点出力状況に応じたモードである再生モードにモード設定がなされる。
【００４６】
すなわち、この状態では保護カバー検出機構３０の接点出力状況により、システムコントローラ２１はレンズ１、測光センサ２及びストロボ９等が保護カバー１０により覆われていると判断して、カメラを再生モードにして立ち上げる。すなわち、カメラの再生系統の回路にのみ、電源を供給して再生系統のみを稼働可能にする。従って、このモードではシャッタ釦３を押しても撮影はできないようになる。
【００４７】
つまり、この状態ではシステムコントローラ２１は撮影系と記録系の回路には電源を供給しないように制御し、他方、システムコントローラ２１は内部の記録／再生回路切り換えスイッチ１５を再生モード側であるＰ側にセットする。また、再生系の回路に電源を供給し、再生動作を可能にする。
【００４８】
そして、使用者が操作部２９を介してコマ指定してシステムコントローラ２１に読出し指令を与えると、システムコントローラ２１はモータ駆動回路２０を制御してモータ１９を回転させ、ヘッドアクセス機構１７を制御して、この指定のコマの記録画像データを磁気ディスク１８より読出す。
【００４９】
この読み出された信号は記録／再生回路切り換えスイッチ１５を介して再生回路２２に与えられ、ここで増幅された後に、ＦＭ復調回路２３に与えられ、ＦＭ復調される。そして、さらに再生プロセス回路２４を経てビデオ信号化される。
【００５０】
また、システムコントローラ２１からは操作や現在状況に合わせた必要な情報の表示のための文字コードがキャラクタジェネレータ２７に与えられ、キャラクタジェネレータ２７はこの文字コードに対応したキャラクタ信号を発生する。
【００５１】
このキャラクタ信号は再生プロセス回路２４からのビデオ信号と共に、スーパーインポーズ回路２５により混合され、ＥＶＦ２６に送られて表示され、また、図示しない外部出力端子を介して外部のモニタやビデオプリンタが接続されていれば、これらに出力させることができる。
【００５２】
第１の実施例のモード設定動作をフローチャートで表わすと図４の様になる。図に基づいて説明する。パワースイッチが入ると、システムコントローラ２１はまずバッテリ等の状態を確かめて、カメラが動作可能なレベルに電源レベルがあるかをチェックした後、動作可能であると判断したならば、電源を立ち上げる(S1)。
【００５３】
その後、保護カバー検出機構３０の出力により、保護カバー１０が開いているか、閉じているかを判断する(S2,S3) 。そして、保護カバー１０が閉じていれば再生モードとしてカメラを初期化（再生系統の各回路に電源を供給する等）した後(S7)、再生モードの各制御処理を行う(S8,S9) 。
【００５４】
それに対して、保護カバー１０が開いていたとき、システムコントローラ２１は記録モードとしてカメラを初期化（各撮像、記録回路に電源を供給する等）した後(S4)、記録モードの各制御処理を行う(S5,S6)。
【００５５】
このような構成にすることによって、保護カバー１０はレンズ１等の保護、及び誤操作（保護カバー１０が閉まっているのに間違えて撮影してしまう等）の防止に寄与するばかりでなく、使用者には一目で本カメラが撮影可能状態であるのかが判断できるようになる。
【００５６】
このように、記録／再生モード手動切り換え設定スイッチ３１が記録側に設定されていたとしても、カメラの記録／再生のモード設定は保護カバー１０の状態いかんにより、決まる構成であるから、電力消費の大きい記録モードの設定状態のまま、知らないで電源をオンにして、無用な電力消費をすると云ったことを防止でき、また、視覚的にも、保護カバー１０の状態により、記録モードとなるのか、再生モードとなるのかが一目でわかるようになって操作性を飛躍的に向上させることができる。
【００５７】
また、保護カバー１０が閉じなくなったり、保護カバー検出機構３０が故障したりしたときのために、記録／再生モード手動切り換え設定スイッチ３１とモード切換指令スイッチ４があり、保護カバー１０が閉じなくなったり、保護カバー検出機構３０が故障したりしたときは、電源をオンにし、記録／再生モード手動切り換え設定スイッチ３１を記録側にしてカメラのモード切換指令スイッチ４を押すことにより、システムコントローラ２１は記録モードに移行するように制御する構成となっている。
【００５８】
また、同様に記録／再生モード手動切り換え設定スイッチ３１を再生側にしてカメラの記録／再生のモード切換指令スイッチ４を押すことにより、システムコントローラ２１は再生モードに移行するように制御する構成となっている。従って、保護カバー１０が閉じなくなったり、保護カバー検出機構３０が故障したりしても、強制的に記録／再生の任意のモードに設定して使用することが可能になる。
【００５９】
［第２の実施例］
次に第２の実施例について説明する。この場合も第１実施例と同様の構成であるが、システムコントローラ２１には保護カバー１０が開かれたときはカメラを記録モードに設定し、撮影系統を駆動させ、保護カバー１０が閉じられるとカメラを再生モードに設定し、撮影系統の回路の電源供給を停止させると共に、再生系統の回路の電源供給を開始して待機状態になり、再生の指令を受けると再生を開始し、また、再生モードに移行してから３０秒間、カメラに対して何も操作が成されないときは電源をオフするべく制御する機能を持たせた点が第１実施例と異なる。
【００６０】
すでに電源が投入された状態で、保護カバー１０を開けると、システムコントローラ２１は保護カバー検出機構３０の接点出力状況により、それを電気的に検出し、カメラを記録モードに設定し、撮影可能状態にする。
【００６１】
また、保護カバー１０を閉めると保護カバー検出機構３０の接点出力状況により、システムコントローラ２１はそれを検出し、カメラを再生モードに設定する。そして、再生モードに設定したことにより、カメラのシャッタ釦３を押しても、撮影はできないようになる。
【００６２】
これをフローチャートで示すと、図５のようになる。すなわち、この処理は割り込み処理で実現でき、保護カバー１０の状態が変化したとき（開から閉、あるいは閉から開）に、割り込みがかかるような構成にしておく。
【００６３】
システムコントローラ２１はこの割り込みが発生した時に、カメラのメイン電源が入っているか否かを判定し(S11) 、カメラのメイン電源が入っていなければ電源を立ち上げた後(S13) 、保護カバー検出機構３０の接点出力状況を参照して保護カバー１０の状態を認識し(S12) 、保護カバー１０が開いたときには記録モードにただちに移行させ(S14) 、閉まったときには再生モードに移行させる(S15) 。
【００６４】
また、システムコントローラ２１は保護カバー１０が閉まったときに、その後、３０秒間カメラが何も操作されなかったならば、自動的にパワーオフしてバッテリーを節約する(S16,S17) 。
【００６５】
このような動作にすることによって、使用者にはカメラが一目で、現在撮影可能状態であるのか否かが判断できるようになるばかりでなく、感覚的にもレンズを覆う保護カバー１０を開いて撮影を行い、撮影終了後、保護カバー１０を閉じてレンズをカバーで覆うという動作が一般的なので、長時間、記録モード状態で記録系統を動作状態におくことによる無駄な電池の消耗を防ぐ効果もある。
【００６６】
［第３の実施例］
次に第３の実施例について図６を参照して説明する。図６は保護カバー１０がレンズキャップ形式のときの実施例を示している。
【００６７】
本発明による電子撮像装置は、本体３３及びレンズ部３４からなり、レンズ部３４の前面に取り外し可能なレンズキャップ状の保護カバー３５を被せる構成としてある。このレンズキャップ状の保護カバー３５がレンズ部３４から取り外されていると、システムコントローラ２１はそれを電気的に検出して本カメラを記録モードとし、保護カバー３５がレンズ部３４に被せられると、それをシステムコントローラ２１は電気的に検出して本カメラは再生モードにする。
【００６８】
保護カバー３５がレンズ部３４に被せられたか否かは、レンズ部３４に保護カバー３５の被着により動作するスイッチやセンサを設ける等することで可能になる。
【００６９】
本実施例においても、第１及び第２実施例と同様の効果が考えられる。
【００７０】
また、図１において指定するモードを強制的に設定するための記録／再生のモード切換指令スイッチ４を設けてあり、カメラの回路には記録／再生モード手動設定する記録／再生モード手動切換えスイッチ３１が設けてあり、これらの設定と操作により、前記保護カバー１０（または３５）の開閉状態（あるいは被着状態）に関係なく、再生モードを設定可能な第１の再生モードと、前記保護カバー１０（または３５）の開閉状態（あるいは被着状態）に依存して再生モードを設定可能な第２の再生モードを、選択的に切り換え可能にすることもできる。これは例えば、レンズキャップ状の保護カバー３５の場合、当該保護カバーの紛失や、シャッタ状の保護カバー１０の場合の故障に際しても、保護カバーの状態に無関係に手動設定による記録／再生のモード切り換えが可能となり、記録・再生に支障をきたさないようにすることができる。
【００７１】
このように、本システムは、光学系により導かれた被写体像を映像信号に変換するための撮像手段と、この撮像手段からの映像信号を記録媒体に記録するための記録手段と、記録媒体に記録された映像信号を再生する再生手段と、記録モード時には記録手段を、また、再生モード時には再生手段を動作可能にするモード切換手段とを備えてなり、少なくとも前記光学系に入射部を覆って保護するための保護カバーを有して、被写体像を撮影するに際しては当該保護カバーを前記入射部から引き離すようにする電子撮像装置において、前記保護カバーが前記光学系の入射部を覆っているか否かを検知する検出手段と、この検出手段の検出情報に基づいて動作し、前記保護カバーが前記光学系の入射部を覆っていないときは記録モードに、また、覆っているときは再生モードにモード設定する制御手段とを備えて構成したものである。
【００７２】
そして、このような構成において、記録動作に当たり、必然的に操作される操作部部材（例えばレンズキャップやシャッタ等の保護カバー）が操作されて映像信号が得られるようになったことを検出手段が検出した時、記録モードにし、撮像手段および記録手段を動作可能にするが、一方、レンズキャップによりレンズを遮光するなどして、撮像手段による撮像が出来ない状態にあることを検出手段が検出した時は、再生モードにし、再生手段を動作可能にし、撮像手段および記録手段を不動作とする。
【００７３】
また、再生動作に当たり、必然的に操作される操作部材（例えば出力端子等）が操作され（出力端子にケーブルが接続され）、それを検出手段が検出したとき、該カメラは再生モードとし、反対に操作が行われていない（出力端子にケーブルが接続されていない）ことを検出手段が検出した時は記録モードとする。
【００７４】
すなわち、本発明は、モードの切り換えとカメラの状態（キャップやレンズシャッタが閉まっている、つまり撮影不可能か、開いているつまり撮影可能か）との関係を簡単に把握できるようにすることによって、操作性の向上と誤操作を防止すると共に、再生モードしか可能な状態ではないのに、電力消費の大きい記録モードの状態に設定してしまうと云った状態を回避でき、これによる電池の無駄な消費を防いて、省エネルギ化を実現することができるようになる。
【００７５】
また本システムは、撮影レンズによって結像された被写体像を映像信号に変換する撮像手段と、撮影レンズを覆って保護する保護カバーと、保護カバーが撮影レンズを覆っているか否かの保護カバーの状態を検出する検出手段と、撮像手段からの映像信号を記録媒体に記録する記録手段と、記録媒体に記録された映像信号を再生する再生手段と、再生モードへの切り換え指示を行うモード操作部材と、記録モード時には記録手段を、また、再生モード時には再生手段を動作可能にするものであって、検出手段により保護カバーの状態が撮影レンズを覆っていないことを検出したときには記録モードに切り換え、モード操作部材が操作されたときには保護カバーの状態とは無関係に、強制的に再生モードに切り換えるモード切換手段とを備えて構成することもできる。
【００７６】
そして、この構成において、検出手段により保護カバーの状態が撮影レンズを覆っていないことを検出したときには、記録モードに切り換え、モード操作部材が操作されたときには保護カバーの状態とは無関係に強制的に再生モードに切り換える。
【００７７】
従って、この構成によれば、モード操作部材が操作されたときには保護カバーの状態とは無関係に強制的に再生モードに切り換えるので、撮影していて記録した画像を確認したいときなどに素早く再生モードに切り換えることができ、操作性が向上すると共に、検出手段により保護カバーの状態が撮影レンズを覆っていないことを検出したときには、記録モードに切り換えるので、保護カバーが閉まっている状態で電力消費の大きい記録モードの状態に設定してしまうといった誤操作を防止でき、これによる電池の無駄な消費を防いで、省エネルギ化を実現することができる。
【００７８】
尚、本発明は上記し、且つ、図面に示す実施例に限定することなく、その要旨を変更しない範囲内で適宜変形して実施し得るものであり、本発明は例えば、レンズキャップなどの保護カバーの状態によるモード切り替え以外にも、カメラ使用に当って、必然的に操作される部材、例えば映像出力端子や入力端子にケーブルが接続されたか否かにより、再生モードと記録モードの切替えを行うようにするなど、種々趣向を変えて採用し得るものである。
【００７９】
また、本発明は記録媒体として、フロッピディスクばかりでなく、ＩＣメモリカードやビデオテープ、光磁気ディスク等を採用するシステムにおいても適用可能であることは云うまでもない。
【００８０】
以上詳述したように本発明は、モードの切り換えとカメラの状態（キャップやレンズシャッタが閉まっている、つまり撮影不可能か、開いているつまり撮影可能か）との関係を簡単に把握できるようにすることによって、操作性の向上と誤操作を防止すると共に、再生モードしか可能な状態ではないのに、電力消費の大きい記録モードの状態に設定してしまうと云った事態を回避でき、これによる電池の無駄な消費を防いで、省エネルギ化を実現することができるようになる。
【００８１】
従って、撮影の意思がないのに間違って記録モードで電源を立ち上げてしまい、無駄に電池を消耗するといったことを防止できる他、使用者が外観的に一目で現モードの確認ができる等の効果が得られる。
【００８２】
なお、本発明は上述の内容に基づいて次のように述べることができる。
【００８３】
本発明の目的とするところは、操作性が良く、迅速な操作のできる電子撮像装置を提供することにある。
【００８４】
上記目的を達成するため、本発明は次のように構成することができる。すなわち、撮影レンズによって結像された被写体像を映像信号に変換する撮像手段と、撮影レンズを覆った位置と、撮影レンズを露呈する位置とに移動する保護カバーと、撮像手段からの映像信号を記録媒体に記録する記録手段と、記録媒体に記録された映像信号を再生する再生手段と、外部からの操作でこの操作を受けたことを検出するスイッチ手段と、電源オンの状態で、保護カバーが撮影レンズを覆っているときは再生モードを動作させ、保護カバーが撮影レンズを露呈しているときは記録モードを動作させ、保護カバーが記録モードを行わせる撮影レンズを露呈する位置にあってもスイッチ手段からの入力を受けると強制的に再生モードを行うことを可能とする制御手段とを備えて構成する。
【００８５】
上記構成においては、保護カバーが撮影レンズを露呈しているときは記録モードを動作させ、保護カバーが記録モードを行わせる撮影レンズを露呈する位置にあってもスイッチ手段からの入力を受けると強制的に再生モードに切り換えている。
【００８６】
従って、本発明は、スイッチ手段が操作されたときには保護カバーが記録モードを行わせる撮影レンズを露呈する位置にあっても強制的に再生モードに切り換えるので、撮影していて記録した画像を確認したいときなどに素早く再生モードに切り換えることができ、操作性が向上するという効果を奏することができる。
【図面の簡単な説明】
【００８７】
【図１】本発明の一実施例を示す電子スチルカメラ装置の概略図。
【図２】本発明によるカメラの回路構成を示すブロック図。
【図３】保護カバー検出機構３０の例を示す図。
【図４】第１の実施例のモード設定動作を示すフローチャート。
【図５】第２の実施例のモード設定動作を示すフローチャート。
【図６】第３の実施例を説明するための図。
【図７】従来システムの構成例を示すブロック図。
【符号の説明】
【００８８】
１…撮影レンズ、２…オートフォーカス（ＡＦ）及び測光センサ、３…シャッタ釦、４…記録／再生のモード切換指令スイッチ、５…フロッピディスクの挿入口、６…イジェクト釦、７…ＬＣＤ（液晶）表示装置、８…パワースイッチ、９…ストロボ、１０，３５…保護カバー、１０ａ…ガイド、１１…光学系、１２…撮像回路、１３…ＦＭ変調回路、１４…記録回路、１５…記録／再生回路切り換えスイッチ、１６…記録／再生ヘッド、１７…ヘッドアクセス機構、１８…記録媒体（磁気ディスクなど）、１９…モータ、２０…スピンドルモータ駆動回路、２１…システムコントローラ、２２…再生回路、２３…ＦＭ復調回路、２４…再生プロセス回路、２５…スーパーインポーズ回路、２６…ＥＶＦ（電子ビューファインダ）、２７…キャラクタジェネレータ、２８…表示部、２９…操作部、３０…保護カバー検出機構、３１…記録／再生モード手動切換えスイッチ。
【図１】
2005312076.tif 000003
【図２】
2005312076.tif 000004
【図３】
2005312076.tif 000005
【図４】
2005312076.tif 000006
【図５】
2005312076.tif 000007
【図６】
2005312076.tif 000008
【図７】
2005312076.tif 000009